(57)【要約】【課題】破損した環状シェルや弾性リングを取り換えてランフラット用支持体を補修することができ、かつランフラット用支持体の製造効率を向上することが可能なタイヤ／ホイール組立体及びランフラット用支持体を提供する。【解決手段】リム１に装着した空気入りタイヤ２の空洞部２Ａに、外周側を支持面６にすると共に内周側を二股状に開脚した脚部７に形成した環状シェル４と脚部７をリム１上に支持する左右の弾性リング５とから構成したランフラット用支持体３を配置したタイヤ／ホイール組立体であり、環状シェル４の脚部７と弾性リング８とをボルト８により着脱自在に取り付けてある。【選択図】図２
2004090738.tif 000002
【特許請求の範囲】
【請求項１】
ホイールのリムに装着した空気入りタイヤの空洞部に、外周側を支持面にすると共に内周側を二股状に開脚した脚部に形成した環状シェルと該脚部をリム上に支持する左右の弾性リングとから構成したランフラット用支持体を配置したタイヤ／ホイール組立体において、前記環状シェルの脚部と前記弾性リングとを着脱自在に取り付けたタイヤ／ホイール組立体。
【請求項２】
前記脚部をボルトにより前記弾性リングに着脱自在に締結した請求項１に記載のタイヤ／ホイール組立体。
【請求項３】
前記弾性リングに前記ボルトが螺合する金属または合成樹脂製の締結用部材を配設した請求項２に記載のタイヤ／ホイール組立体。
【請求項４】
前記脚部はホイール回転軸方向に延在する取付部を有し、該取付部をボルト軸をホイール径方向にした前記ボルトにより前記弾性リングに締結した請求項２または３に記載のタイヤ／ホイール組立体。
【請求項５】
前記ボルトが合成樹脂からなる請求項４に記載のタイヤ／ホイール組立体。
【請求項６】
前記ボルトが螺合するネジ孔をホイール回転軸方向にずらして設けた複数の弾性リングを用意し、前記複数の弾性リングの中から選択した一つに前記環状シェルの脚部を締結した請求項２，３，４または５に記載のタイヤ／ホイール組立体。
【請求項７】
外周側を支持面にすると共に内周側を二股状に開脚した脚部に形成した環状シェルと該脚部をリム上に支持する左右の弾性リングとから構成したランフラット用支持体において、前記環状シェルの脚部と前記弾性リングとを着脱自在に取り付けたランフラット用支持体。
【請求項８】
前記脚部をボルトにより前記弾性リングに着脱自在に締結した請求項７に記載のランフラット用支持体。
【請求項９】
前記弾性リングに前記ボルトが螺合する金属または合成樹脂製の締結用部材を配設した請求項８に記載のランフラット用支持体。
【請求項１０】
前記脚部はホイール回転軸方向に延在する取付部を有し、該取付部をボルト軸をホイール径方向にした前記ボルトにより前記弾性リングに締結した請求項８または９に記載のランフラット用支持体。
【請求項１１】
前記ボルトが合成樹脂からなる請求項１０に記載のランフラット用支持体。
【請求項１２】
前記ボルトが螺合するネジ孔をホイール回転軸方向にずらして設けた複数の弾性リングを用意し、前記複数の弾性リングの中から選択した一つに前記環状シェルの脚部を締結した請求項８，９，１０または１１に記載のランフラット用支持体。
【発明の詳細な説明】
【０００１】
【発明の属する技術分野】
本発明は、タイヤ／ホイール組立体及びランフラット用支持体に関し、さらに詳しくは、ランフラット用支持体の補修ができ、かつ製造効率を向上することができるタイヤ／ホイール組立体及びそれに使用するランフラット用支持体に関する。
【０００２】
【従来の技術】
車両の走行中に空気入りタイヤがパンクした場合でも、緊急走行を可能にするようにする技術が市場の要請から多数提案されている。これら多数の提案のうち、特開平１０−２９７２２６号公報や特表２００１−５１９２７９号公報で提案された技術は、リム組みされた空気入りタイヤの空洞部内側のリム上に支持体を装着し、その支持体によってパンクしたタイヤを支持することによりランフラット走行を可能にしたものである。
【０００３】
上記ランフラット用支持体は、外周側を支持面にすると共に内周側を二股状に開脚した脚部に形成した環状シェルに弾性リングを取り付けた構成からなり、その弾性リングを介してリム上に支持されるようになっている。このランフラット用支持体によれば、既存のホイール／リムに何ら特別の改造を加えることなく、そのまま使用できるため、市場に混乱をもたらすことなく受入れ可能にできる利点を有している。
【０００４】
通常、上述したランフラット用支持体の環状シェルと弾性リングは、弾性リングを加熱成形する際に該弾性リングに埋設した環状シェルの脚部を弾性リングに接着させることにより取り付け、環状シェルと弾性リングとが分離できない一体構造になっている。そのため、タイヤがパンクして内圧がゼロの状態で走行するランフラット走行により、環状シェルと弾性リングのいずれか一方が破損して使用不能になり、他方がまだ使用できる状態にもかかわらず、新たなランフラット用支持体に買い換えなければならないという問題があった。
【０００５】
更に、同じサイズのタイヤでもそれを装着するホイールによりリムの形状が異なるため、また同じサイズのタイヤでも弾性リングが当接するタイヤビード部の内面形状が異なるため、それぞれに対応した弾性リングや環状シェルを備えたランフラット用支持体を製造する必要がある。そのため、多品種のランフラット用支持体を製造しなければならず、製造効率が極めて悪いという問題があった。
【０００６】
【発明が解決しようとする課題】
本発明の目的は、破損した環状シェルや弾性リングを取り換えてランフラット用支持体を補修することができ、かつランフラット用支持体の製造効率を向上することが可能なタイヤ／ホイール組立体及びランフラット用支持体を提供することにある。
【０００７】
【課題を解決するための手段】
上記目的を達成する本発明のタイヤ／ホイール組立体は、ホイールのリムに装着した空気入りタイヤの空洞部に、外周側を支持面にすると共に内周側を二股状に開脚した脚部に形成した環状シェルと該脚部をリム上に支持する左右の弾性リングとから構成したランフラット用支持体を配置したタイヤ／ホイール組立体において、前記環状シェルの脚部と前記弾性リングとを着脱自在に取り付けたことを特徴とする。
【０００８】
本発明のランフラット用支持体は、外周側を支持面にすると共に内周側を二股状に開脚した脚部に形成した環状シェルと該脚部をリム上に支持する左右の弾性リングとから構成したランフラット用支持体において、前記環状シェルの脚部と前記弾性リングとを着脱自在に取り付けたことを特徴とする。
【０００９】
このように環状シェルの脚部と弾性リングとを着脱自在に取り付ける構成にしたので、環状シェルと弾性リングのいずれか一方が破損して使用不能になっても、取り外して交換することができ、ランフラット用支持体を補修することができる。
【００１０】
また、リム形状などの条件に合った環状シェルと弾性リングをそれぞれ製造し、使用（販売）時にそれらを組み合わせてランフラット用支持体を作製することができるので、従来のように環状シェルと弾性リングが一体になった多品種のランフラット用支持体を製造する必要がなく、従って、製造の効率化を図ることができる。
【００１１】
【発明の実施の形態】
本発明において、ランフラット用支持体は空気入りタイヤの空洞部に挿入される環状体として形成される。このランフラット用支持体は、外径が空気入りタイヤの空洞部内面との間に一定距離を保つように空洞部内径よりも小さく形成され、かつ内径は空気入りタイヤのビード部内径と略同一寸法に形成されている。そして、このランフラット用支持体は、空気入りタイヤの内側に挿入された状態で空気入りタイヤと共にホイールにリム組みされ、タイヤ／ホイール組立体に構成される。このタイヤ／ホイール組立体が車両に装着されて走行中に空気入りタイヤがパンクすると、そのパンクして潰れたタイヤがランフラット用支持体の外周面に支持された状態になるので、ランフラット走行を可能にする。
【００１２】
上記ランフラット用支持体は、環状シェルと弾性リングとを主要部として構成されている。
【００１３】
環状シェルは、外周側（外径側）にパンクしたタイヤを支えるため連続した支持面を形成し、内周側（内径側）は左右の側壁を脚部として二股状に開脚した形状にしている。外周側の支持面は、その周方向に直交する横断面での形状が外径側に凸曲面になるように形成される。その凸曲面のタイヤ軸方向に並ぶ数は単一だけでもよいが、好ましくは２以上が並ぶようにするのがよい。このように支持面を２以上の凸曲面が並ぶように形成することにより、支持面のタイヤ内面（空洞部内面）に対する接触箇所を２以上に分散させ、タイヤ内面に与える局部摩耗を低減するため、ランフラット走行を可能にする持続距離を延長することができる。
【００１４】
弾性リングは、環状シェルの内径側に二股状になった両脚部の端部にそれぞれ取り付けられ、左右のリムシート上に当接することにより環状シェルを支持している。この弾性リングはゴム又は弾性樹脂から構成され、パンクしたタイヤから環状シェルが受ける衝撃や振動を緩和するほか、リムシートに対する滑り止めを行って環状シェルを安定支持するようにしている。
【００１５】
ランフラット用支持体は、パンクしたタイヤを介して車両重量を支えるようにしなければならないため、環状シェルは剛体材料から構成されている。その構成材料には、金属、樹脂などが使用される。このうち金属としては、スチール、アルミニウムなどを例示することができる。また、樹脂としては、熱可塑性樹脂および熱硬化性樹脂のいずれでもよい。熱可塑性樹脂としては、ナイロン、ポリエステルなどを挙げることができ、また熱硬化性樹脂としては、エポキシ樹脂、不飽和ポリエステル樹脂などを挙げることができる。樹脂は単独で使用してもよいが、補強繊維を配合して繊維強化樹脂として使用してもよい。
【００１６】
弾性リングは、環状シェルを安定支持できればいずれのゴムや弾性樹脂から構成してもよく、例えば、ゴムとしては、天然ゴム、イソプレンゴム、スチレン−ブタジエンゴム、ブタジエンゴム、ブチルゴムなどを挙げることができる。
【００１７】
本発明のタイヤ／ホイール組立体に使用されるランフラット用支持体は、上述した構成を前提とする。
【００１８】
以下、本発明を図に示す実施形態により具体的に説明する。
【００１９】
図１は本発明の一実施形態からなるタイヤ／ホイール組立体（車輪）の要部を示す子午線断面図であり、１はホイール外周のリム、２は空気入りタイヤ、３はランフラット用支持体である。これらリム１、空気入りタイヤ２、ランフラット用支持体３は、図示しないホイールの回転軸を中心として共軸に環状に形成され、リム１に装着した空気入りタイヤ２の空洞部２Ａにランフラット用支持体３を配置した構成になっている。
【００２０】
ランフラット用支持体３は、金属、樹脂などの剛性材から形成された環状シェル４と、ゴム、弾性樹脂などの弾性材から形成された左右の弾性リング５とから構成されている。
【００２１】
環状シェル４は外周側に曲率半径を有する２個の凸曲面６ａをシェル幅方向においてもつ支持面６を形成し、その支持面６は空気入りタイヤ２が正常なときは空気入りタイヤ２の内面２ａから離間しているが、パンクしたとき潰れたタイヤを支持するようになっている。また、環状シェル４の内周側は両側壁がそれぞれ脚部７として二股状に開脚し、その内径側に弾性リング５を着脱自在に取り付けてある。
【００２２】
脚部７と弾性リング５との取付構造は、例えば、図２〜７に示すようにすることができる。
【００２３】
図２は、断面平行四辺形状の弾性リング５の外周面５ａに断面Ｌ字状に形成した脚部７の取付部７ａをボルト８により着脱自在に締結したものである。取付部７ａは、ホイール回転軸方向に延在する幅を有するリング状に形成され、ボルト８を挿通する挿通孔ｍがリング周方向に沿って所定の間隔で設けられている。ボルト軸ｂをホイール回転軸と直交するホイール径方向にしたボルト８により、弾性リング５のホイール回転軸と平行な外周面５ａに取付部７ａが直接に締結してある。
【００２４】
ボルト８は、弾性リング５の外周面５ａに加工を施すことなくそのままネジ込んでもよく、また、ボルト８の締結位置を示すために、予め形成したボルト径より径の小さい孔にネジ込むようにしてもよい。あるいは、弾性リング５の外周面５ａにボルト８が螺合可能なネジ孔を形成しておき、そのネジ孔に螺合させるようにしてもよい。
【００２５】
図３は、断面平行四辺形状の弾性リング５の外周面５ａにボルト８が螺合する金属または合成樹脂からなるリング状の締結用部材９を配設したものである。この締結用部材９は、弾性リング成形時に一体接着させることで、弾性リング５に一体的に取り付けられている。締結用部材９には、周方向に沿って所定の間隔でボルト８が螺合可能なネジ孔ｎが貫通形成されている。
【００２６】
脚部７の取付部７ａに形成した挿通孔ｍを介してネジ孔ｎにボルト８を螺合させることより、脚部７の取付部７ａを弾性リング５に着脱自在に締結している。このように締結用部材９を弾性リング５に設けることにより、図２の場合よりも環状シェル４を弾性リング５に強固に連結固定することができる。
【００２７】
締結用部材９は、上述したリング体に代えて、ボルト８の締結位置に応じて外周面５ａにそれぞれ一体接着した複数の板状片から構成してもよい。
【００２８】
図４は、断面平行四辺形状の弾性リング５の内側面５ｂに、リング周方向に沿って脚部７のホイール回転軸方向に延在する取付部７ａを挿入する環状の挿入溝ｓを形成したものである。弾性リング５の外周面５ａから弾性リング５内にネジ込んだボルト８を、挿入溝ｓに挿入した取付部７ａの挿通孔ｍに挿通させることにより、脚部７を弾性リング５に締結固定している。
【００２９】
図５は、図４の構造において、挿入溝ｓの溝幅を広くし、その挿入溝ｓ内に締結用部材９を一体接着により取り付けたものである。この締結用部材９は、断面コ字状のリング体から構成され、外周側リング部９ａには、リング周方向に沿って所定の間隔でボルト８が螺合するネジ孔ｎが貫通形成してある。内周側リング部９ｂには、リング周方向に沿って所定の間隔で上記ネジ孔ｎと対応する位置に貫通孔ｘが形成されている。
【００３０】
外周側リング部９ａと内周側リング部９ｂ間の環状溝部９ｃ内に脚部７の取付部７ａが挿入され、弾性リング５の外周面５ａから弾性リング５内にネジ込んだボルト８を、外周側リング部９ａのネジ孔ｎに螺合させると共に、取付部７ａの挿通孔ｍと内周側リング部９ｂの貫通孔ｘに挿通させることにより、脚部７を弾性リング５に締結してある。
【００３１】
図６は、脚部７の取付部７ａを断面Ｌ字状に屈曲させずに、弾性リング５の内側面５ｂに沿って延在する形状にし、その取付部７ａを弾性リング５の内側面５ｂにボルト８により着脱自在に締結したものである。
【００３２】
図７は、リム形状などが異なる際にそれに合わせた形状にした弾性リング５に環状シェル４の脚部７を連結した例を示し、図２と同様に、ボルト８により弾性リング５の外周面５ａに脚部７の取付部７ａを直接に着脱自在に締結固定したものである。弾性リングは適合するリムのハンプ形状や適合するタイヤビード内面形状に応じた形状を有している。
【００３３】
上記のように構成されるランフラット用支持体３は、リム組み時に、空気入りタイヤ２の内側に挿入され、弾性リング５を空気入りタイヤ２のビード部２ｂと共にリム１のリムシート１ｓに同時に嵌合装着するようになっている。
【００３４】
上述した本発明によれば、環状シェル４の脚部７と弾性リング５とを着脱自在に取り付けるようにしたので、環状シェル４と弾性リング５のいずれか一方が破損して使用不能になっても取り外して交換することができ、ランフラット用支持体３を補修することができる。
【００３５】
また、リム形状などの条件に合った環状シェル４と弾性リング５をそれぞれ製造し、使用（販売）時にそれらを組み合わせてランフラット用支持体を作製することができるので、従来のように環状シェルと弾性リングが一体になった多品種のランフラット用支持体を製造する必要がなく、従って、製造効率の向上が可能になる。
【００３６】
図８は、ランフラット用支持体３において、弾性リング５の位置を微調整できるようにした例を示し、ボルト８が螺合するネジ孔ｎをホイール回転軸方向にずらして外周面５ａに設けた複数（図では２個を例示）の弾性リング５Ａ，５Ｂを用意しておき、この複数の弾性リング５Ａ，５Ｂの中から適宜選択した一つに環状シェル４の脚部７を図２と同様にしてボルト８により締結固定したものである。これにより、同じ環状シェル４を用いて、左右の弾性リング５の間隔を装着するタイヤ／ホイール組立体に合わせて微調整することが可能になる。
【００３７】
本発明において、上記ボルト８は、金属または合成樹脂から構成することができる。金属としては、スチール、アルミニウムなどを例示することができる。また、合成樹脂としては、熱可塑性樹脂および熱硬化性樹脂のいずれでもよく、熱可塑性樹脂としては、ナイロン、ポリエステルなど、また熱硬化性樹脂としては、エポキシ樹脂、不飽和ポリエステル樹脂などを例示することができる。
【００３８】
図２〜５，７，８に示すように、脚部７のホイール回転軸方向に延在する取付部７ａをボルト軸ｂをホイール径方向にしたボルト８により弾性リング５に締結する場合には、締結した取付部７ａによりボルト８に対して大きな剪断力（ボルト軸ｂと直交する方向の力）が加わらないため、ボルト８を合成樹脂から構成するのが軽量化の点からよい。図６に示す例では、ボルト８を金属から構成するのがよい。
【００３９】
締結用部材９に使用する金属及び合成樹脂は、ボルト８と同様のものを用いることができ、金属としてはスチール、アルミニウムなど、熱可塑性樹脂としてはナイロン、ポリエステルなど、熱硬化性樹脂としてはエポキシ樹脂、不飽和ポリエステル樹脂などを使用することができる。
【００４０】
脚部７の取付部７ａは、上記実施形態（図６を除く）では、脚部本体７Ａからランフラット用支持体３の幅方向外側に向けて延在しているが、幅方向外側から内側に向けて延在する構成にしてもよい。
【００４１】
また、左右の脚部７の取付部７ａは、左右対称の形状であっても非対称の形状であってもよい。左右非対称にする場合には、例えば、車両外側となる脚部７を軸方向内側（ランフラット用支持体３の幅方向内側）に折曲げて取付部７ａを形成する一方、車両内側となる脚部７は図２〜８に示すように軸方向外側に折曲げて取付部７ａを形成することができる。この場合、環状シェルが負荷の大きい車両外側にオフセットされて装着されるので耐久性が向上する。また、脚部７の傾きを左右で異なるようにすること等もよい。
【００４２】
上記実施形態では、環状シェル４の支持面６が２個の凸曲面６ａ，６ａを有する場合を例示したが、この凸曲面の数は２個に限定されるものでなく、１個あるいは３個以上であってもよい。
【００４３】
環状シェル４と弾性リング５との取付は、上述したようにボルト８により行うのが環状シェル４を弾性リング５に強固に固定することができるので好ましいが、他の連結部材により取付固定するようにしてもよい。
【００４４】
【発明の効果】
上述したように本発明は、環状シェルの脚部と弾性リングを着脱自在に取り付けたので、破損した環状シェルや弾性リングを取り換えてランフラット用支持体を補修することができ、かつランフラット用支持体の製造効率を向上することができる。
【図面の簡単な説明】
【図１】本発明の実施形態からなるタイヤ／ホイール組立体の要部を示す子午線断面図である。
【図２】環状シェルの脚部と弾性リングとの取付構造の一例を示す要部拡大断面図である。
【図３】環状シェルの脚部と弾性リングとの取付構造の他の例を示す要部拡大断面図である。
【図４】環状シェルの脚部と弾性リングとの取付構造の更に他の例を示す要部拡大断面図である。
【図５】環状シェルの脚部と弾性リングとの取付構造の更に他の例を示す要部拡大断面図である。
【図６】環状シェルの脚部と弾性リングとの取付構造の更に他の例を示す要部拡大断面図である。
【図７】リム形状が異なる際にそれに合わせた形状にした弾性リングと環状シェルの脚部との取付構造の一例を示す要部拡大断面図である。
【図８】ランフラット用支持体において、弾性リングの位置を微調整できるようにした例を示す要部拡大断面図である。
【符号の説明】
１（ホイールの）リム　　　　　　２　空気入りタイヤ
２Ａ　空洞部　　　　　　　　　　２ａ　内面
３　ランフラット用支持体　　　　４　環状シェル
５，５Ａ，５Ｂ　弾性リング　　　５ａ　外周面
５ｂ　内側面　　　　　　　　　　６　支持面
７　脚部　　　　　　　　　　　　７ａ　取付部
８　ボルト　　　　　　　　　　　９　締結用部材
９ｃ　環状溝部　　　　　　　　　ｂ　ボルト軸
ｎ　ネジ孔　　　　　　　　　　　ｓ　挿入溝
【図１】
2004090738.tif 000003
【図２】
2004090738.tif 000004
【図３】
2004090738.tif 000005
【図４】
2004090738.tif 000006
【図５】
2004090738.tif 000007
【図６】
2004090738.tif 000008
【図７】
2004090738.tif 000009
【図８】
2004090738.tif 000010